(57)【要約】  被検体（１２０、２２０）へ光を照射するか又は被検体（１２０、２２０）からの光を検出する素子（１０１、２０１）を支持する支持部材（１０２、２０２）と、支持部材（１０２、２０２）を被検体（１２０、２２０）から隔離した状態で保持し、かつ支持部材（１０２、２０２）に着脱可能に設置される保持部（１０３、２０３）と、素子（１０１）から照射される照射光又は被検体（１２０、２２０）から素子（２０１）への光を案内する光案内機構（１０５、２０５）と、を有する光学部品（１００、２００）である。
2017017841.tif 000002
【特許請求の範囲】
【請求項１】
被検体へ光を照射するか又は前記被検体からの光を検出する素子を支持する支持部材と、  前記支持部材を前記被検体から隔離した状態で保持し、かつ前記支持部材に着脱可能に設置される保持部と、  前記素子から照射される照射光又は前記被検体からの光を案内する光案内機構と、を有することを特徴とする光学部品。
【請求項２】
前記素子は、前記被検体へ光を照射する発光素子であり、  前記光案内機構は断面円形を成し、その径は、前記発光素子から出射される光の照射範囲の径より小さいことを特徴とする請求項１に記載の光学部品。
【請求項３】
前記素子は、前記被検体から光を検出する光検出素子であり、  前記光案内機構は断面円形を成し、その径は、前記光検出素子の受光可能範囲より小さいことを特徴とする請求項１に記載の光学部品。
【請求項４】
前記支持部材と結合された前記保持部内に前記光案内機構と連通する空間を形成する面の少なくとも一部及び前記光案内機構の内面に、光反射性材料により鏡面部が形成されていることを特徴とする請求項１に記載の光学部品。
【請求項５】
前記保持部には、前記被検体に密着される密着部が設けられていることを特徴とする請求項１に記載の光学部品。
【請求項６】
前記光案内機構は、前記密着部に形成された光導通孔であることを特徴とする請求項５に記載の光学部品。
【請求項７】
前記密着部は、ゲル状部材により形成されていることを特徴とする請求項５に記載の光学部品。
【請求項８】
前記密着部は黒色体であることを特徴とする請求項５に記載の光学部品。
【請求項９】
前記被検体側に向けて開口する前記光案内機構の開口部に、光透過性を有する保護部材が設けられていることを特徴とする請求項１に記載の光学部品。
【請求項１０】
前記保護部材は、印加電圧によって光透過率を可変させる液晶フィルタであることを特徴とする請求項９に記載の光学部品。
【請求項１１】
前記保持部が、前記光案内機構と別体で、かつ前記支持部材とは独立に変位可能に設けられていることを特徴とする請求項１に記載の光学部品。
【請求項１２】
前記被検体の基準位置から前記光学部材までの距離を一定に保持する固定機構を有することを特徴とする請求項１に記載の光学部品。
【請求項１３】
前記保持部と、前記光案内機構とを有する保持ユニットが、前記支持部材に対して交換可能であることを特徴とする請求項１〜１２のいずれか１項に記載の光学部品。
【請求項１４】
請求項１３に記載の光学部品に使用される前記保持ユニット。
【請求項１５】
被検体へ光を照射し、かつ前記被検体からの光を検出する生体光計測装置であって、  前記被検体へ光を照射する第１の素子を支持する第１の支持部材と、前記第１の支持部材を前記被検体から隔離した状態で保持し、かつ前記第１の支持部材に着脱可能に設置される第１の保持部と、前記第１の素子から照射される照射光を案内する第１の光案内機構と、を有する第１の光学部品と、  前記被検体からの光を検出する第２の素子を支持する第２の支持部材と、前記第２の支持部材を前記被検体から隔離した状態で保持し、かつ前記第２の支持部材に着脱可能に設置される第２の保持部と、前記被検体からの光を案内する第２の光案内機構と、を有することを特徴とする生体光計測装置。
【発明の詳細な説明】
【技術分野】
【０００１】  本発明は光学部品及び生体光計測装置に関し、特に生体に光を照射し、生体を通過した光の光量の変化を計測することにより、生体内部の情報を得る生体光計測装置、及びそれに用いられる光学部品に関する。
【背景技術】
【０００２】  生体の内部状態を非侵襲的に計測する手法として、光照射により血液循環、血行動態、ヘモグロビン変化を計測して生体情報を得る手法が知られている。光照射による計測は、光の発生機構が小型であり、また、例えばＭＲＩやＸ線ＣＴによる測定に使用される特別なシールド設備も不要なため、簡便な計測が可能である。【０００３】  生体内の血液動態変化を計測する生体光計測装置に関する技術の例が特許文献１に開示されている。この装置では、光源で発生させた光を光照射用光ファイバーにより伝達して被検体に照射するとともに、被検体内部を通過した光を光検出用光ファイバーによって検出し、光検出器まで導いて、光電変換により電気信号を取得している。この装置では、光照射用光ファイバーと光検出用光ファイバーとを光検出プローブとして頭皮に密着させて用いている。
【先行技術文献】
【特許文献】
【０００４】
【特許文献１】特開２００１−２８６４４９号公報
【発明の概要】
【発明が解決しようとする課題】
【０００５】  特許文献１に記載の装置では、医療現場において、一の装置により複数人の検査を行う場合、計測対象が変わる毎に生体との接触部を拭き取ることで、清潔状態を維持している。しかしながら、拭き取りには手間がかかり、また拭き取りを行っても付着物が完全には除去されず、衛生面で問題がある。また、生体との接触部位を使い捨てとすることで、高い衛生状態を簡便に保つことが可能となるが、光ファイバ等のプローブの構成部材は一般に高価であるため、使い捨てとするとコスト高となる。【０００６】  また、例えば光ファイバや、光照射又は光検出を行う素子を、ホルダを用いて生体の表面から隔離した状態で固定する技術が知られている。ホルダを使用した場合、光ファイバや素子の拭き取りの手間が省かれる。また、生体と接触するホルダを、光ファイバや素子とは別体で廃棄することができるため、低コストでの使い捨て利用が可能である。【０００７】  しかしながら、例えば光照射用の光ファイバの先端を、生体表面から隔離した状態で固定した場合、照射光が拡がり、目的とする計測対象領域だけでなく、計測対象領域から外れた領域も光照射される。この場合、計測対象領域以外の領域に関する生体情報も、検出結果に反映されるため、測定精度が低下する。【０００８】  また、光検出用の光ファイバの先端を、生体表面から隔離した状態で固定した場合にも、被検体内部を通過して光ファイバにより受光される受光領域が広くなり、測定精度が低下する。【０００９】  本発明の目的は、低コストで簡易に衛生状態を維持することができ、かつ光照射又は光検出を高い精度で行うことのできる光学部品及び生体光計測装置を提供することにある。
【課題を解決するための手段】
【００１０】  本発明に係る光学部品の好ましい実施形態としては、被検体へ光を照射するか又は前記被検体からの光を検出する素子を支持する支持部材と、前記支持部材を前記被検体から隔離した状態で保持し、かつ前記支持部材に着脱可能に設置される保持部と、前記素子から照射される照射光又は前記被検体からの光を案内する光案内機構と、を有することを特徴とする。【００１１】  また、本発明に係る生体光計測装置の好ましい実施形態としては、被検体へ光を照射し、かつ前記被検体からの光を検出する生体光計測装置であって、前記被検体へ光を照射する第１の素子を支持する第１の支持部材と、前記第１の支持部材を前記被検体から隔離した状態で保持し、かつ前記第１の支持部材に着脱可能に設置される第１の保持部と、前記第１の素子から照射される照射光を案内する第１の光案内機構と、を有する第１の光学部品と、前記被検体からの光を検出する第２の素子を支持する第２の支持部材と、前記第２の支持部材を前記被検体から隔離した状態で保持し、かつ前記第２の支持部材に着脱可能に設置される第２の保持部と、前記被検体からの光を案内する第２の光案内機構と、を有することを特徴とする。
【発明の効果】
【００１２】  本発明によれば、低コストで簡易に衛生状態を維持することができ、かつ光照射又は光検出を高い精度で行うことのできる光学部品及び生体光計測装置を実現することができる。
【図面の簡単な説明】
【００１３】
【図１】実施例１に係る光学部品の構成を説明するための断面図である。
【図２】光学部材として、光検出素子を設けた光学部品の構成を説明するための断面図である。
【図３】実施例１の光学部品を使用する生体光計測装置の構成を示すブロック図である。
【図４】密着部として吸盤を備えた光学部品の構成を説明するための断面図である。
【図５】実施例４に係る光学部品の構成を説明するための断面図である。
【図６】実施例５に係る光学部品の構成を説明するための断面図である。
【図７】実施例６に係る光学部品の構成を説明するための断面図である。
【図８】実施例７に係る光学部品を被検体の表面に装着した状態を示す図である。
【発明を実施するための形態】
【実施例１】
【００１４】  図１は、実施例１に係る光学部品１００の構成を説明するための断面図であり、図１（ａ）は、支持プレート１０２を保持部１０３と一体化させる前の状態を示している。光学部品に備える素子としては、被検体へ光を照射する光源を備えていてもよく、被検体を通過した光を検出する光検出素子を備えていてもよいが、図１では、素子として光源を備えた場合を例に説明する。【００１５】  光学部品１００は、被検体１２０へ光を照射する光源１０１と、光源１０１を支持する支持プレート１０２と、支持プレート１０２を保持する保持部１０３と、被検体１２０に密着させる密着部１０４と、光源１０１から照射される照射光の一部を案内する光案内機構である光導通孔１０５と、を有している。【００１６】  保持部１０３、密着部１０４及び後述する鏡面部１６１〜１６２により保持ユニット１５０を構成し、この保持ユニット１５０は、支持プレート１０２に対して着脱自在にして交換可能に設けられている。【００１７】  光源１０１としては、例えば半導体レーザ、チタンサファイアレーザ、発光ダイオード等を用いることができる。【００１８】  支持プレート１０２は、ほぼ円形の平面形状を有しており（図１（ｃ）参照。）、その外周にねじ機構１０２ａが形成されている。支持プレート１０２は、ねじ機構１０２ａを、保持部１０３の内壁に形成されたねじ機構１０３ａに嵌合して保持部１０３と一体化する。一方、この嵌合状態を解除することで、支持プレート１０２を保持部１０３と分離することができる。【００１９】  保持部１０３は、中空の円筒が円環形状を形成し、円環の中空の開口部に支持プレート１０２が嵌合されるように、開口部の径は、支持プレート１０２の径と略同等の大きさに形成されている。保持部１０３には、被検体１２０側に開口する開口部を塞ぐように、密着部１０４が設けられている。【００２０】  密着部１０４は、高粘着性を有する黒色のゲル状シート材で形成され、中心に孔部を有する円形状に形成されている。密着部１０４は、その外周縁を保持部１０３の内壁に接触させるように設置されており、被検体１２０表面に対して接触させた状態で設置することで、保持部１０３及び支持プレート１０２を被検体１２０上に固定する機能を有する。【００２１】  密着部１０４の上面及び保持部１０３の内壁面には鏡面部１６２が形成されており、支持プレート１０２の光源１０１の設置面には鏡面部１６３が形成されている。鏡面部１６２〜１６３は、光反射性材料により形成される。【００２２】  光導通孔１０５は、密着部１０４及び鏡面部１６２に形成されており、光導通孔１０５の内壁面には、鏡面部１６１が光反射性材料により形成されている。【００２３】  実施例１では、密着部１０４を黒色のゲル状シート部材により形成しているが、鏡面部１６２が密着部１０４の上面全体に設けられていれば、密着部１０４は必ずしも黒色でなくてもよい。ただし、密着部１０４を黒色とすることで、例えば鏡面部１６１が、光導通孔１０５の下端部まで形成されていなくても、光導通孔１０５からの光の漏出を防止することができるため好ましい。【００２４】  図１（ｂ）は、支持プレート１０２を保持部１０３と一体化させた状態を示す図であ��、図１（ｃ）は、図１（ｂ）の光学部品１００を支持プレート１０２側から見た平面図である。【００２５】  図１（ｂ）に示すように、支持プレート１０２が保持部１０３により保持されることで、光源１０１は、被検体１２０から隔離した状態で保持される。支持プレート１０２は、光源１０１の設置面と反対側の面の一端に設けられたつまみ具１０７を上方に持ち上げることで、保持部１０３から取り外し可能に構成されている。【００２６】  保持部１０３と支持プレート１０２とが一体化されることで、保持部１０３内部には、光導通孔１０５と連通する空間１０８が形成される。空間１０８を形成する密着部１０４の上面、保持部１０３の内壁面、及び支持プレート１０２の光源１０１の設置面には、上記したように、鏡面部１６２、１６３が設けられており、空間１０８全体が、鏡面部１６２、１６３により囲まれた状態となっている。【００２７】  図１（ｂ）に示すように、光源１０１は、保持部１０３により、被検体１２０の表面から隔離された状態で保持されているため、光源１０１による光の照射範囲は、図１（ｂ）中一点鎖線で示す範囲１１０に広がっている。このため、光源１０１の照射範囲１１０には、目的とする計測対象領域（例えば光源１０１の直下の領域）だけでなく、計測対象領域から外れた領域も含まれている。【００２８】  光学部品１００では、光源１０１からの照射光は、密着部１０４及び鏡面部１６２により遮蔽され、光導通孔１０５内に入射した光が被検体１２０の表面に導かれる。従って、被検体１２０表面に光が照射される範囲は、光導通孔１０５の被検体１２０側に開口する開口範囲１１１に限定される。図１に示すように、光導通孔１０５の開口範囲１１１の径は、光源１０１による光の照射範囲１１０の径より小さく形成されている。従って、目的とする計測対象領域から外れた領域の生体情報が反映されることによる、測定精度の低下を防止することができる。【００２９】  また、密着部１０４及び鏡面部１６２により遮蔽された光が被検体１２０表面に照射されないと、その分、光の損失となる。光学部品１００では、光導通孔１０５と連通する空間１０８を形成する面に、鏡面部１６２、１６３が設けられている。このため、密着部１０４及び鏡面部１６２により遮られた照射光は、密着部１０４の上面、保持部１０３の内壁面、及び支持プレート１０２の光源１０１の設置面において、鏡面部１６２、１６３により反射され、光導通孔１０５に導かれる。光導通孔１０５に導かれた光は、鏡面部１６１により反射されながら、最終的に、被検体１２０の表面に導かれる。このため、遮蔽部を設けたことによる光の損失を低減することができる。【００３０】  また、上記したように、光学部品１００の光源１０１は、支持プレート１０２により、被検体１２０から隔離した状態で保持されている。このため、光源１０１の拭き取りを行うことなく、光源１０１の衛生状態を維持して使用することができる。【００３１】  また、上記したように、光学部品１００は、保持ユニット１５０を交換可能に備えている。このため、例えば被検体１２０から保持部１０３に生体物質が付着する等により、密着部１０４や保持部１０３に汚れが生じた場合に、保持ユニット１５０を、光源１０１とは別体として廃棄することができる。このため、低コストでの使い捨て利用が可能となる。
【実施例２】
【００３２】  図２は、光学部材として、被検体を通過した光を検出する光検出素子を設けた光学部品２００の構成を説明するための断面図である。【００３３】  光学部品２００において、保持部２０３、密着部２０４及び後述する鏡面部２６１〜２６２により保持ユニット２５０を構成し、この保持ユニット２５０は、支持プレート２０２に対して着脱自在にして交換可能に設けられている。図２に示す光学部品２００は、光源１０１に代えて光検出素子２０１を設けた点以外は、図１に示す光学部品１００の構成と同様であり、詳細な説明は省略する。【００３４】  光検出素子２０１としては、例えばフォトダイオード等の光電変換素子を用いることができる。【００３５】  図２に示す光学部品２００では、光案内機構である光導通孔２０５は、密着部２０４及び鏡面部２６２に形成されており、光導通孔２０５の内壁面には、鏡面部２６１が光反射性材料により形成されている。【００３６】  図２に示すように、光検出素子２０１は、被検体２２０の表面から隔離された状態で保持されている。このため、被検体２２０からの出射される光の、光検出素子２０１による受光可能範囲は、図２中一点鎖線で示す範囲２１０に広がっており、受光可能範囲２１０には、目的とする受光領域（例えば、光検出素子２０１の直下の領域）だけでなく、目的とする受光領域から外れた領域も含まれている。【００３７】  光学部品２００では、被検体２２０表面から出射した光は、密着部２０４及び鏡面部２６２により遮蔽され、光導通孔２０５から入射した光が、鏡面部２６１により反射されながら、光導通孔２０５と連通する空間２０８に導かれる。従って、空間２０８に導かれる光の範囲は、光導通孔２０５の被検体２２０側への開口範囲２１１に限定される。図２に示すように、被検体２２０側の光導通孔２０５の開口範囲２１１の径は、光検出素子２０１による受光可能範囲２１０の径より小さく形成されている。従って、目的とする受光領域から外れた領域から出射される出射光を受光することによる、測定精度の低下を防止することができる。【００３８】  また、図２に示す光学部品２００では、図１に示す光学部品１００と同様、光導通孔２０５と連通する空間２０８を形成する面全体に、鏡面部２６２、２６３が設けられている。【００３９】  このため、被検体２２０からの出射光が、光導通孔２０５から空間２０８内の種々の方向に向けて出射されても、これらの出射光は、保持部２０３の内壁面、支持プレート２０２の光検出素子２０１の設置面及び密着部２０４の上面において鏡面部２６２、２６３により反射され、最終的に光検出素子２０１に導かれる。このため、空間２０８に導かれた光が、保持部２０３の外部に漏出することによる光の損失を低減することができる。【００４０】  なお、図１、図２では、被検体に対する密着部１０４、２０４として、ゲル状のシート部材を使用する例を示したが、密着部として、例えば図４で示すような吸盤２５０を用いることもできる。吸盤２５０としては、例えばゴム等の樹脂材料により形成することができる。【００４１】  密着部として吸盤２５０を用いることで、例えばゲル状のシート部材では、被検体との接着が不十分な場合でも、吸盤２５０によ���、被検体に対して十分な接着状態を得ることができる。【００４２】  上記した光学部品１００、２００は、被検体の表面に、それぞれ単独で設置することができる。また、光学部品１００、２００は、例えば、別途用意したベルト状の部材にそれぞれ固定したうえで、被検体に設置するようにしてもよい。この点は、後述する実施例２〜３においても同様である。
【実施例３】
【００４３】  図３は、実施形態に係る光学部品を使用する生体光計測装置の構成を示すブロック図である。図３では、光照射部として、例えば図１に示す光学部品１００を使用することができ、光検出部として、例えば図２に示す光学部品２００を使用することができる。【００４４】  図３において、１は光照射部、２は光検出部、３は被検体、４は制御部、５は処理部、６は表示部、７は記憶部である。制御部４は、光照射部１を制御し、所定の波長の光を被検体３に照射させる。また、制御部４は、光検出部２を制御し、被検体３の内部を通過して被検体３の表面から出射する光を検出させる。光検出部２は、検出した光を光電変換し、電気信号として処理部５に出力する。処理部５は、光検出部２から出力された電気信号の強度を算出し、算出結果を表示部６及び記憶部７に出力する。処理部５から出力された強度は、表示部６に表示され、記憶部７に記憶される。また、各々の構成要素は制御部４により制御される。
【実施例４】
【００４５】  図５は、実施例４に係る光学部品３００の構成を説明するための断面図である。以下の説明では、光学部材として光源を備えた場合を例に説明するが、実施例４の光学部品は、光学部材として光検出素子を備えた構成とすることも可能である。【００４６】  図５において、３１２はガラスロッド、３１３は保護フィルタである。なお、図５において光源は図示していないが、光源は、ガラスロッド３１２と支持プレート３０２とが接触する位置において、ガラスロッド３１２の内側に設置されている。【００４７】  図５では、支持プレート３０２と保持部３０３とを一体化した状態の断面図を示している。光学部品３００においても、実施例１と同様、支持プレート３０２が、保持部３０３に着脱可能に構成されている。【００４８】  光学部品３００において、保持部３０３、密着部３０４及び後述する鏡面部３６１〜３６２により保持ユニット３５０を構成し、この保持ユニット３５０は、支持プレート３０２に対して着脱自在にして交換可能に設けられている。【００４９】  実施例４は、ガラスロッド３１２及び保護フィルタ３１３を設けた点以外は、基本的な構成は実施例１と同様であり、実施例１と共通する構成についてはその説明を省略する。【００５０】  ガラスロッド３１２は、一端側において光源を覆い、かつ他端側が光導通孔３０５の光源側の開口部まで達するように延設されている。光源から照射された光は、ガラスロッド３１２により光導通孔３０５内に導かれる。【００５１】  保護フィルタ３１３は、光導通孔３０５の、被検体３２０側の開口部を覆うように設けられている。保護フィルタ３１３は、ガラスロッド３１２の先端部や光源が被検体と接触しないように、保持部３０３の内部領域を、被検体３２０の表面から隔離するものである。【００５２】  保護フィルタ３１３は、光源からの光や被検体３２０からの出射光に対する光透過性を有する光透過性材料により形成されていればよく、例えばガラス基板を用いることができる。【００５３】  また、保護フィルタ３１３として、例えば液晶フィルタ等の減光フィルタを用いることもできる。この場合、液晶フィルタへの印加電圧を、制御部４（図１参照。）により調整することで、光透過率が適切な値に調整される。保護フィルタ３１３として液晶フィルタを設けることで、例えば光源からの照射光の光量が多すぎる場合にも、被検体に照射される光の量を適切な量に制御することができる。【００５４】  図５に示す例では、ガラスロッド３１２は、保護フィルタ３１３との間に所定の隙間を設けて設置されている。これにより、支持プレート３０２を、保持部３０３から容易に取り外すことができる。【００５５】  図５において、光導通孔３０５の内壁面には鏡面部３６１が形成されており、密着部３０４の上面には鏡面部３６２が形成されている。【００５６】  実施例２の光学部品３００では、光源から照射された光は、ガラスロッド３１２により光導通孔３０５内に出射される。光導通孔３０５内に出射された光は、光導通孔３０５の内壁面に設けられた鏡面部３６１により反射されながら、被検体３２０に向けて導かれる。また、光導通孔３０５から、光導通孔３０５に連通する空間３０８内に漏れ出た光は、密着部３０４及び密着部３０４の上面に設けられた鏡面部３６２により遮蔽され、被検体３２０表面への光照射が防止される。【００５７】  図５に示す光学部品において、光源に代えて光検出素子を設けた場合には、図示しないが、被検体３２０の表面から出射される光は、密着部３０４及び鏡面部３６２により遮蔽され、光導通孔３０５内に入射した光は、鏡面部３６１により反射されながら、ガラスロッド３１２に導かれ、ガラスロッド３１２により光検出素子まで導かれる。【００５８】  実施例２の光学部品３００においても、鏡面部は、光導通孔３０５の内壁面及び密着部３０４の上面だけでなく、保持部３０３の内壁面や支持プレート３０２の光源の設置面に設けることも可能である。【００５９】  保護フィルタ３１３は、実施例１及び後述する実施例３〜４の構成に適用することも可能である。
【実施例５】
【００６０】  図６は、実施例５に係る光学部品４００の構成を説明するための断面図である。以下の説明では、素子として光源４０１を備えた場合を例に説明するが、実施例４の光学部品４００は、素子として光検出素子を備えた構成とすることも可能である。【００６１】  図６において、４０１は光源、４０２は支持プレート、４０７はつまみ具、４０３は枠体、４０４は底板部材、４０５は光導通孔、４０８は光導通孔と連通する空間、４０９は保持部、４１０は密着部、４１１はばね材である。【００６２】  光学部品４００において、枠体４０３、底板部材４０４、保持部４０９、密着部４１０、ばね材４１１により保持ユニット４５０を構成し、この保持ユニット４５０は、支持プレート４０２に対して着脱自在にして交換可能に設けられている。【００６３】  実施例１の光学部品１００では、保持部１０３及び密着部１０４が、光導通孔１０５と一体に形成されていたが、実施例５の光学部品４００は、保持部４０９及び密着部４１０が、光導通孔４０５と別体として形成されている。【００６４】  枠体４０３は、中空の円筒形状を有しており、枠体４０３の開口部の一端側には、その内周面に接するように、底板部材４０４が設けられている。枠体４０３は、円形の平面形状を有しており、中心部に突設された中空状の円筒部により、光案内機構である光導通孔４０５を形成している。図６には示していないが、底板部材４０４の内面一帯には、鏡面部が形成されている。【００６５】  支持プレート４０２は、枠体４０３に対して着脱可能に構成されており、その外周面に形成されたねじ機構４０２ａを、枠体４０３の内壁に形成されたねじ機構４０３ａに嵌合することで、枠体４０３と一体化される。また、支持プレート４０２は、つまみ具４０７を上方に持ち上げることで、枠体４０３から取り外し可能である。【００６６】  保持部４０９は、枠体４０３の外径より大きい径を有する中空円筒形状を有しており、枠体４０３の外周を囲むように設置されている。【００６７】  保持部４０９の被検体４２０側の開口部には、内周側に向けて所定の幅を有する脚部４０９ａが延設されている。脚部４０９ａの底面には、密着部４１０が貼着されている。密着部４１０を被検体４２０表面に接触させて設置することで、保持部４０９が被検体４２０上に立設される。密着部４１０は、例えば実施例１と同様、ゲル状のシート部材を用いることができる。【００６８】  保持部４０９は、ばね材４１１により、枠体４０３と接続されている。このため、支持プレート４０２が枠体４０３と一体化されることで、支持プレート４０２に設置された光源４０１は、保持部４０９により被検体４２０の表面から隔離された状態で保持される。【００６９】  保持部４０９は、ばね材４１１により枠体４０３と接続されることで、光源４０１とは独立に変位可能とされている。このため、例えば、表面に凹凸を有する被検体４２０上に光学部品４００を設置する場合、被検体４２０の凹凸形状に追従させるように保持部４０９の設置位置を調整しながら装着させることが可能であり、良好な設置状態を得ることができる。【００７０】  図４に示す光学部品４００では、光源４０１から照射された光は、底板部材４０４の上��により遮蔽され、光導通孔４０５内に入射した光が被検体４２０の表面に導かれる。なお、光学部材として光検出素子を設けた場合には、被検体の表面から出射する光は、底板部材４０４の下面により遮蔽され、光導通孔４０５に入射した光が空間４０８に導かれる。
【実施例６】
【００７１】  図７は、実施例６に係る光学部品５００の構成を説明するための断面図である。実施例４は、被検体の計測対象領域に毛髪が存在している場合に、毛髪を掻き分ける掻き分け部を備えた構成である。【００７２】  図７（ａ）は、実施例１と同様の構成を有する光学部品に、掻き分け部５１０を装着した状態を示す概略図であり、図７（ｂ）は、掻き分け部５１０の構成を示す平面図である。【００７３】  掻き分け部５１０は、中心に観測窓５１１を有する押さえ部５１２と、掻き分け片５１３と、可動部５１４とを有している。押さえ部５１２は、円形の平面形状を有しており、観測窓５１１内の領域に保持部５０３を設置可能に構成されている。掻き分け片５１３は三角形状を有しており、押さえ部５１２の外周縁に設置されている。可動部５１４は、押さえ部５１２の外周縁の、掻き分け部５１３と対向する位置に設置されている。【００７４】  図７（ｃ）は、掻き分け部５１０の移動前と移動後の状態を示す図であり、図７（ｄ）は、掻き分け部５１０により毛髪を掻き分けるときの動きを連続的に示す図である。【００７５】  光学部品５００を被検体に装着するときには、まず、掻き分け片５１３を被検体に押し付けながら、図７（ｄ）に示すように、可動部５１４を中心として掻き分け片５１３の端部を移動させる。これにより、掻き分け片５１３の先端部により、毛髪が掻き分けられる。掻き分け片５１３の端部がさらに移動して図７（ｃ）の右図に示す状態となると、掻き分け片５１３で掻き分けられた毛髪は、押さえ部５１２により押さえつけられる。【００７６】  このとき、観測窓５１１内の領域に保持部５０３が設置され、最終的に、密着部５０４が被検体表面に押し付けられることで、光学部品５００全体が被検体上に設置される。これにより、光源５０１からの被検体上への光照射、又は被検体からの出射光の光検出素子５０１による検出を、毛髪により遮られることなく行うことができる。このため、高精度な計測を行うことができる。
【実施例７】
【００７７】  図８は、実施例１〜２、４〜５に係る光学部品を被検体の表面に装着した状態を示す図である。【００７８】  図８では、光源を備えた光照射部６０１を１個、光検出素子を備えた光検出部６０２を２個の単位で、線状に並べて連結具６０３により連結した連結体６０４として、被検体に装着した例を示す。図８では、連結体６０４を、被検体の前額部に装着した例を示している。【００７９】  生体光計測では、一般に、同一の被験者に対して複数回の生体光計測が行われる。このとき、光照射部６０１や光検出部６０２の設置位置が測定回毎に異なると、測定精度が低下する。このため、光照射部６０１及び光検出部６０２は、同一の被検者に対して毎回同じ箇所に設置することが望ましい。【００８０】  図８に示す例では、連結体６０４は、鼻根部との距離を一定に保つ第１の固定機構６０５、及び耳部との距離を一定に保つ第２の固定機構６０６に設置された状態で、被検体に装着されている。【００８１】  第１の固定機構６０５は、鼻根部を両側から挟むワイヤの一端に、連結体６０４を設置するようにしたものであり、第２の固定機構６０６は、耳部に架設されるワイヤの一端に連結体６０４を設置するようにしたものである。【００８２】  第１の固定機構６０５及び第２の固定機構６０６は、いずれも金属材料を針金状に成形したものや、プラスチックの成形体等の、ある程度強度を有するものを用いることが好ましい。【００８３】  連結体６０４を、第１の固定機構６０５や第２の固定機構６０６に設置した状態で被検体に装着することで、連結体６０４を、例えば鼻根部や耳部等の、被検体の基準位置から一定の距離を保って装着することが可能となる。【００８４】  図８に示す例では、第２の固定機構６０６に目盛６０７を備えており、鼻根部や耳部から連結体６０４までの距離を可変に構成している。この場合、利用者は、鼻根部や耳部から連結体６０４までの距離を予め把握しておくことで、測定の都度、設置位置を調整しなくても、連結体６０４を毎回ほぼ同一の位置に設置することが可能となる。
【符号の説明】
【００８５】１、６０１…光照射部、２、６０２…光検出部、３…被検体、４…制御部、５…処理部、６…表示部、７…記憶部、１００、２００、３００、４００、５００…光学部品、１０１、４０１…光源、１０２、２０２、３０２、４０２…支持プレート、１０３、２０３、３０３、４０９、５０３…保持部、１０２ａ、１０３ａ、４０２ａ、４０３ａ…切込み機構、１０４、２０４、３０４、４１０、５０４…密着部、１０５、２０５、３０５、４０５…光導通孔、１０７、４０７…つまみ具、１０８、２０８、３０８、４０８…光導通孔と連通する空間、１１０…光源の照射範囲、２１０…光検出素子による受光可能範囲、１１１、２１１…光導通孔の開口範囲、１２０、２２０、３２０、４２０…被検体、１６１、１６２、１６３、２６１、２６２、２６３、３６１、３６２…鏡面部、２０１…光検出素子、２５０…吸盤、３１２…ガラスロッド、３１３…保護フィルタ、４０３…枠体、４０４…底板部材、４０９ａ…保持部の脚部、４１１…ばね材、５０１…光源又は光検出素子、５１０…掻き分け部、５１１…観測窓、５１２…押さえ部、５１３…掻き分け片、５１４…可動部、６０３…連結具、６０４…連結体、６０５…第１の固定機構、６０６…第２の固定機構、６０７…目盛
【図１】
2017017841.tif 000003
【図２】
2017017841.tif 000004
【図３】
2017017841.tif 000005
【図４】
2017017841.tif 000006
【図５】
2017017841.tif 000007
【図６】
2017017841.tif 000008
【図７】
2017017841.tif 000009
【図８】
2017017841.tif 000010
【国際調査報告】
2017017841.tif 000011
2017017841.tif 000012
2017017841.tif 000013
2017017841.tif 000014
2017017841.tif 000015
2017017841.tif 000016
2017017841.tif 000017